(57)【要約】  本発明は、エスカレーターの乗り場での転倒事故及びエスカレーターへの逆乗り込みを防止できる手摺ベルト及びエスカレーターである。本発明の手摺ベルト５は、表面平坦部５Ａ及び両縁部５Ｂを有し、エスカレーター１の踏段４と同期すると共に、反転部１１Ａ及び１１Ｂで往路から復路へ反転して移動する手摺ベルトであって、手摺ベルト５は、その表面に印刷シート６を有し、断面形状が略Ｃ字形であり、印刷シート６は、手摺ベルト５の移動方向を表示する方向表示体６Ａ及び６Ｂを有し、方向指示体６Ａ及び６Ｂは、印刷シート６の地色と異なる色であり、且つ手摺ベルト５の表面平坦部５Ａ及び両縁部５Ｂに別々に設けられており、方向表示体６Ａ及び６Ｂは、反転部１１Ａ及び１１Ｂに方向指示体６Ａ及び６Ｂの少なくとも１個が存在する間隔で設けられている。
2007139186.tif 000002
【特許請求の範囲】
【請求項１】
表面平坦部及び該表面平坦部の両縁に連なる両縁部を有し、エスカレーターの踏段と同期すると共に、反転部で往路から復路へ反転して移動する手摺ベルトであって、
上記手摺ベルトは、その表面に印刷シートを有し、断面形状が略Ｃ字形であり、
上記印刷シートは、上記手摺ベルトの移動方向を表示する方向表示体を有し、
上記方向指示体は、上記印刷シートの地色と異なる色であり、且つ上記手摺ベルトの上記表面平坦部及び上記両縁部に別々に設けられており、
上記方向表示体は、上記反転部に上記方向表示体の少なくとも１個が存在する間隔で設けられている手摺ベルト。
【請求項２】
上記表面平坦部の上記方向表示体の少なくとも一部が、上記両縁部に位置する請求項１記載の手摺ベルト。
【請求項３】
上記両縁部の上記方向表示体は、上記両縁部の中央部よりも上記表面平坦部寄りの箇所に設けられている請求項１記載の手摺ベルト。
【請求項４】
上記表面平坦部の上記方向表示体の少なくとも１個が、上記反転部に存在する請求項１記載の手摺ベルト。
【請求項５】
上記印刷シートは、上記表面平坦部の上記方向表示体の間に、更に広告表示体を有する請求項１記載の手摺ベルト。
【請求項６】
上記両縁部の上記方向表示体は、上記広告表示体が設けられた箇所の両縁部に設けられている請求項５記載の手摺ベルト。
【請求項７】
表面平坦部及び該表面平坦部の両縁に連なる両縁部を有し、エスカレーターの踏段と同期すると共に、反転部で往路から復路へ反転して移動する手摺ベルトであって、
上記手摺ベルトは、その表面に印刷シートを有し、断面形状が略Ｃ字形であり、
上記印刷シートは、広告表示体及び上記手摺ベルトの移動方向を表示する方向表示体を有し、
上記広告表示体は、上記手摺ベルトの上記表面平坦部に設けられており、
上記方向指示体は、上記印刷シートの地色と異なる色であり、且つ上記手摺ベルトの上記両縁部に設けられており、
上記方向表示体は、上記反転部に上記方向表示体の少なくとも１個が存在する間隔で設けられている手摺ベルト。
【請求項８】
上記表面平坦部の上記方向表示体の少なくとも一部が、上記両縁部に位置する請求項７記載の手摺ベルト。
【請求項９】
上記両縁部の上記方向表示体は、上記両縁部の中央部よりも上記表面平坦部寄りの箇所に設けられている請求項７記載の手摺ベルト。
【請求項１０】
上記表面平坦部の上記方向表示体の少なくとも１個が、上記反転部に存在する請求項７記載の手摺ベルト。
【請求項１１】
請求項１記載の手摺ベルトを備えるエスカレーター。
【請求項１２】
請求項７記載の手摺ベルトを備えるエスカレーター。
【発明の詳細な説明】
【技術分野】
【０００１】
本発明は、移動する踏段が傾斜路又は水平路を形成することにより、乗客を輸送するエスカレーターの手摺ベルト及び該手摺ベルトを備えるエスカレーターに関する。
【背景技術】
【０００２】
従来より、手摺ベルトの表面に印刷シートを貼り付けて、広告表示を行うエスカレーターが知られている。例えば、特許文献１には、表面の長手方向に、広告のみを表示した印刷シートを貼り付けた手摺ベルトを備えるエスカレーターが記載されている。【０００３】
【特許文献１】特開２００３−２１２４６８号公報
【発明の開示】
【発明が解決しようとする課題】
【０００４】
最近、乗客の高年齢化等の要因により、踏段に乗り移る際の体重移動のタイミングを失して、エスカレーターの乗り場で乗客が転倒する事故が相次いでいる。この事故は、凝視する踏段の色が黒っぽいため、踏段の動き（速度）を認識することが困難であることに起因している。また、乗客がエスカレーターの踏段の動く方向を認識できず、その結果、乗客がエスカレーターの降りる側から乗る（逆乗り込み）ことがある。【０００５】
一方、前記公報記載のエスカレーターは、単に広告媒体の提供を主目的とするに過ぎない。エスカレーターにおける乗客の転倒防止等の安全に関する技術的思想は、前記公報には全く開示されていない。また、前記公報記載の印刷シートは、単に文字や図柄を間隔を置かずに連続的に付した印刷シートである。該印刷シートを有する手摺ベルトが動くと、印刷シート上の文字及び図柄が一本の帯のように見える。その結果、該印刷シートは、手摺ベルト及び踏段の移動方向を表示する機能を発揮し得ないという問題がある。更に、前記公報記載の印刷シートを有するエスカレーターでは、その側方からは、手摺ベルト及び踏段の移動方向が認識できないという問題もある。【０００６】
本発明の目的は、手摺ベルト及び踏段の移動方向を見易く表示することにより、エスカレーターの乗り場での転倒事故及びエスカレーターへの逆乗り込みを防止できる手摺ベルト及び該手摺ベルトを備えるエスカレーターを提供することである。
【課題を解決するための手段】
【０００７】
本発明の第１の手摺ベルトは、表面平坦部及び該表面平坦部の両縁に連なる両縁部を有し、エスカレーターの踏段と同期すると共に、反転部で往路から復路へ反転して移動する手摺ベルトであって、上記手摺ベルトは、その表面に印刷シートを有し、断面形状が略Ｃ字形であり、上記印刷シートは、上記手摺ベルトの移動方向を表示する方向表示体を有し、上記方向表示体は、上記印刷シートの地色と異なる色であり、且つ上記手摺ベルトの上記表面平坦部及び上記両縁部に別々に設けられており、上記方向表示体は、上記反転部に上記方向表示体の少なくとも１個が存在する間隔で設けられている手摺ベルトである。【０００８】
本発明の第２の手摺ベルトは、表面平坦部及び該表面平坦部の両縁に連なる両縁部を有し、エスカレーターの踏段と同期すると共に、反転部で往路から復路へ反転して移動する手摺ベルトであって、上記手摺ベルトは、その表面に印刷シートを有し、断面形状が略Ｃ字形であり、上記印刷シートは、広告表示体及び上記手摺ベルトの移動方向を表示する方向表示体を有し、上記広告表示体は、上記手摺ベルトの上記表面平坦部に設けられており、上記方向表示体は、上記印刷シートの地色と異なる色であり、且つ上記手摺ベルトの上記両縁部に設けられており、上記方向表示体は、上記反転部に上記方向表示体の少なくとも１個が存在する間隔で設けられている手摺ベルトである。【０００９】
本発明のエスカレーターは、本発明の手摺ベルトを備えるエスカレーターである。
【発明の効果】
【００１０】
本発明の手摺ベルト及びエスカレーターによれば、乗客は、エスカレーターの移動速度及び方向を視覚的に認知することができる。また、本発明の手摺ベルト及びエスカレーターによれば、エスカレーターの正面及び側方の両方から、エスカレーターの移動速度及び方向を見易く表示することができる。その結果、本発明の手摺ベルト及びエスカレーターによれば、エスカレーターの乗り場での転倒事故及びエスカレーターへの逆乗り込みを防止することができる。
【図面の簡単な説明】
【００１１】
【図１】第１の実施の形態の手摺ベルトの全体側面図である。
【図２】図１のＸ−Ｘ線に沿う正面図である。
【図３】図２のＹ−Ｙ線に沿う断面図である。
【図４】第１の実施の形態の手摺ベルトの単体斜視図である。
【図５】他の第１の実施の形態の手摺ベルトの単体斜視図である。
【図６】第２の実施の形態の手摺ベルトの全体側面図である。
【図７】図６のＸ−Ｘ線に沿う正面図である。
【図８】図７のＹ−Ｙ線に沿う断面図である。
【図９】第２の実施の形態の手摺ベルトの単体斜視図である。
【発明を実施するための最良の形態】
【００１２】
（１）本発明の第１の手摺ベルト及びエスカレーター
本発明の第１の手摺ベルトの実施の形態を、図１〜図５に基づいて説明する。尚、本実施の形態は、本発明の第１の手摺ベルト及びエスカレーターの一例である。【００１３】
本実施の形態のエスカレーター１は、（１）上階床２Ａ及び下階床２Ｂに装架される主フレーム３と、（２）無端状に連結され、往路から復路にかけて反転して移動する多数の踏段４と、（３）踏段４と同期して往路から復路にかけて反転して移動する本実施の形態の手摺ベルト５と、を有する。【００１４】
本実施の形態の手摺ベルト５は、表面平坦部５Ａ及び表面平坦部５Ａの両縁に連なる両縁部５Ｂを有し、その断面形状は、略Ｃ字形状である。尚、手摺ベルト５の断面形状には特に限定はない。【００１５】
手摺ベルト５には、印刷シート６が接着固定（図示省略）されている。手摺ベルト５は、チェーン８を介して駆動歯車７の動力を駆動ローラ９等に伝達することによって摩擦駆動される。手摺ベルト５は、復路を案内ローラ１０により、往路を欄干１１によりそれぞれ案内され、反転部１１Ａ及び１１Ｂ（範囲Ｈ）で折り返して移動する。反転部１１Ａ及び１１Ｂは、エスカレーター１において、手摺ベルト５の移動方向が往路から復路又は復路から往路へ変化する箇所である。反転部１１Ａ及び１１Ｂの大きさ及び形状には特に限定はない。図１では、反転部１１Ａ及び１１Ｂは略半円形状である。【００１６】
印刷シート６は、通常、全体が長尺状である。印刷シート６は、手摺ベルト５の長手方向に沿い、その表面平坦部５Ａ（幅Ｗ１）から両縁部５Ｂにかけて接着固定されている。図３に示す印刷シート６は、手摺ベルト５の外周面のほぼ全域を覆っている。【００１７】
印刷シート６は、手摺ベルト５の表面平坦部５Ａ及び両縁部５Ｂを覆っていればよい。例えば、印刷シート６は、両縁部５Ｂの一部及び表面平坦部５Ａを覆っていてもよい。また、印刷シート６は、両縁部５Ｂの一方及び表面平坦部５Ａを覆っていてもよい。更に、図３に示す印刷シート６は、手摺ベルト５の長さ方向の全長に貼り付けられている。しかし、本発明において、印刷シート６は、必ずしも手摺ベルト５の長さ方向の全長に貼り付けられている必要はない。【００１８】
図４に示すように、印刷シート６の表面には、方向表示体６Ａ及び６Ｂが印刷により設けられている。印刷シート６の具体的構成には特に限定はない。印刷シート６は、通常、接着層及びシート層を有する。上記接着層は手摺ベルト５と接着する層である。上記シート層は通常、各種の印刷が施されている層である。上記シート層は通常、上記接着層の表面に積層されている。しかし、印刷シート６は、上記シート層と上記接着層との間に、他の層を有していてもよい。また、印刷シート６の表面（例えば、上記シート層の表面）には、更にラミネート層を有していてもよい。例えば、印刷シート６は、上記接着層及び上記シート層に加え、表面のラミネート層等で形成されている構成とすることができる。【００１９】
本発明の手摺ベルトにおいて、上記方向表示体は、上記手摺ベルトの上記表面平坦部及び上記両縁部に別々に設けられている。図４に示す手摺ベルト５では、方向表示体６Ａは表面平坦部５Ａに設けられており、方向表示体６Ｂは、方向表示体６Ａとは別に、両縁部５Ｂに設けられている。方向表示体６Ａ及び６Ｂは、手摺ベルト５の移動方向を表示することができる。また、上記のように、本実施の形態のエスカレーター１では、手摺ベルト５は、踏段４と同期して移動する。よって、方向表示体６Ａ及び６Ｂは、踏段４の移動方向も表示することができる。【００２０】
図４において、方向表示体６Ａは、目立ち易いように、表面平坦部５Ａの幅Ｗ１の範囲内に設けられている。方向表示体６Ａの幅（Ｗ２）は、方向表示体６Ａが表面平坦部５Ａの範囲に設けられている限り、特に限定はない。例えば、方向表示体６Ａの幅は、表面平坦部５Ａの幅より狭くてもよく、表面平坦部５Ａの幅と同一（又は略同一）でもよく、表面平坦部５Ａの幅より広くてもよい。例えば、方向表示体６Ａの最大幅は、表面平坦部５Ａより広くてもよい。かかる構成を有することにより、方向表示体６Ａの少なくとも一部を、両縁部５Ｂに位置させることができる。【００２１】
方向表示体６Ａの間隔には特に限定はない。例えば、方向表示体６Ａの間隔（図４のＰａ）は、該方向表示体６Ａが反転部１１Ａ及び１１Ｂ（範囲Ｈ）内に少なくとも１個存在する距離とすることができる。より具体的には、例えば、方向表示体６Ａの間隔（図４のＰａ）は、範囲Ｈと同じ距離、好ましくはＨ／４〜３Ｈ／４、更に好ましくは、Ｈ／３〜２Ｈ／３とすることができる。方向表示体６Ａの間隔は、例えば、５０〜１５０ｃｍ、好ましくは７０〜１３０ｃｍ、更に好ましくは８０〜１００ｃｍとすることができる。方向表示体６Ａの間隔は、全て同じでもよく、一部が異なっていてもよい。【００２２】
図４において、方向表示体６Ｂは、両縁部５Ｂの範囲内に設けられている。方向表示体６Ｂの幅は、方向表示体６Ｂが両縁部５Ｂの範囲内に設けられている限り、特に限定はない。例えば、方向表示体６Ｂの幅は、両縁部５Ｂの幅より狭くてもよく、両縁部５Ｂの幅と同一（又は略同一）でもよい。【００２３】
方向表示体６Ｂは、両縁部５Ｂの片方にのみ設けてもよく、両方に設けてもよい。方向表示体６Ｂは、図４に示すように、両縁部５Ｂの中央部に設けることができる。また、方向表示体６Ｂは、両縁部５Ｂの中央部よりも上記表面平坦部寄りの箇所に設けることができる。両縁部５Ｂの中央部とは、手摺ベルト５の両縁部５Ｂの上端（表面平坦部５Ａと接する部分）と、下端との間の中央の部分を意味する。【００２４】
方向表示体６Ｂの間隔は特に限定はない。例えば、方向表示体６Ｂの間隔（図４のＰｂ）は、該方向表示体６Ｂが反転部１１Ａ及び１１Ｂ（範囲Ｈ）内に少なくとも１個存在する距離とすることができる。より具体的には、例えば、各方向表示体６Ｂの間隔（図４のＰｂ）は、範囲Ｈと同じ距離、好ましくはＨ／４〜３Ｈ／４、更に好ましくは、Ｈ／３〜２Ｈ／３とすることができる。方向表示体６Ｂの間隔は、例えば、５０〜１５０ｃｍ、好ましくは７０〜１３０ｃｍ、更に好ましくは８０〜１００ｃｍとすることができる。方向表示体６Ｂの間隔は、全て同じでもよく、一部が異なっていてもよい。【００２５】
方向表示体６Ａ及び６Ｂの位置関係には特に限定はない。例えば、方向表示体６Ｂは、図４に示すように、方向表示体６Ａ間の両縁部５Ｂに配置することができる。また、方向表示体６Ｂは、方向表示体６Ａが設けられた箇所の両縁部５Ｂに配置することができる。【００２６】
方向表示体６Ａ及び６Ｂの色は、印刷シート６の地色とは異なる色である。よって、エスカレーターの利用者は、方向表示体６Ａ及び６Ｂの動きを、より確実に認識することができる。印刷シート６の地色並びに方向表示体６Ａ及び６Ｂの色には特に限定はない。印刷シート６の地色並びに方向表示体６Ａ及び６Ｂの色としては、例えば、赤、青、黄、白、橙、茶、緑、及び黒が挙げられる。【００２７】
印刷シート６の地色並びに方向表示体６Ａ及び６Ｂの色の組み合わせには特に限定はない。印刷シート６の地色と、方向表示体６Ａ及び６Ｂの色との色差及び明度差が大きいと、方向表示体６Ａ及び６Ｂの動きを、より確実に認識することができるので好ましい。上記明度差は、例えば１００以上、好ましくは１２５以上、更に好ましくは１５０以上とすることができる。また、上記色差は、例えば４００以上、好ましくは４５０以上、更に好ましくは５００以上とすることができる。印刷シート６の地色の明度は、方向表示体６Ａ及び６Ｂの色の明度より大きくてもよく、小さくてもよい。印刷シート６の地色並びに方向表示体６Ａ及び６Ｂの色の組み合わせとしては、例えば、青と黄、赤と白、橙と青、黒と黄、茶と白、及び緑と白が挙げられる。尚、方向表示体６Ａ及び６Ｂの色は同じでもよく、異なっていてもよい。【００２８】
方向表示体６Ａ及び６Ｂの図柄及び大きさには特に限定はない。方向表示体６Ａ及び６Ｂの図柄は、例えば、図４に示すひし形の他、矢印（大きめの矢印等）、丸印、三角印、及び小判印でもよい。更に、方向表示体６Ａ及び６Ｂの図柄及び大きさは、同じでもよく、異なっていてもよい。【００２９】
方向表示体６Ａ及び６Ｂは、それぞれ複数個存在する。また、方向表示体６Ａ及び６Ｂは、反転部１１Ａ及び１１Ｂ（範囲Ｈ）内に少なくとも１個存在する。手摺ベルト５において、方向表示マーク６Ａ及び６Ｂの両方が、反転部１１Ａ及び１１Ｂ内に少なくとも各１個存在していてもよい。例えば、方向表示体６Ａの間隔（図４のＰａ）を反転部１１Ａ及び１１Ｂの範囲Ｈと同じ距離とし、方向表示体６Ａ間の両縁部５Ｂに方向表示体６Ｂを設ければ、方向表示マーク６Ａ及び６Ｂの両方が、反転部１１Ａ及び１１Ｂ内に少なくとも１個存在する。また、方向表示体６Ａ及び６Ｂのいずれか一方のみが、反転部１１Ａ及び１１Ｂ内に少なくとも１個存在していてもよい。例えば、方向表示体６Ａ及び６Ｂの間隔を、反転部１１Ａ及び１１Ｂの範囲Ｈと同じ距離とすれば、方向表示体６Ａ及び６Ｂのいずれか一方のみが、反転部１１Ａ及び１１Ｂ内に少なくとも１個存在する。【００３０】
本実施の形態の手摺ベルト５では、各方向表示体６Ａの間に、各種の内容を表示する広告表示体７Ａを設けることができる（図５参照）。広告表示体７Ａの大きさには特に限定はない。広告表示体７Ａの幅は、通常、方向表示体６Ａの幅よりも狭い。広告表示体７Ａで表示される内容には特に限定はない。この内容としては、例えば、各種の注意文字（例えば、「歩行禁止」等）及び各種広告が挙げられる。【００３１】
広告表示体７Ａと方向表示体６Ａとの間隔にも特に限定はない。該間隔は、方向表示体６Ａの視認性確保の観点から、ある程度広い方が好ましい。例えば、該間隔は１０ｃｍ以上、好ましくは１５ｃｍ以上とすることができる。【００３２】
本実施の形態の手摺ベルト５において、上記広告表示体７Ａを設けた場合、両縁部５Ｂの方向表示体６Ｂの位置には特に限定はない。例えば、方向表示体６Ｂは、上記広告表示体７Ａが設けられた箇所の両縁部５Ｂに配置することができる（図５参照）。また、方向表示体６Ｂは、方向表示体６Ａが設けられた箇所の両縁部５Ｂに配置することができる。【００３３】
本実施の形態の手摺ベルト５には、方向表示体６Ａ及び６Ｂが、反転部１１Ａ及び１１Ｂに少なくとも１個存在する。よって、利用者（乗客）がエスカレーター１を見た時、利用者は、方向表示体６Ａ及び６Ｂの動きにより、踏段４の移動速度及び移動方向を確実に認識することができる。また、両縁部５Ｂの方向表示体６Ｂにより、利用者は、エスカレーター１の側方からでも踏段４の移動速度及び移動方向を確実に認識することができる。その結果、エスカレーターの乗り場での転倒事故及びエスカレーターへの逆乗り込みを防止することができる。【００３４】
（２）本発明の第２の手摺ベルト及びエスカレーター
本発明の第２の手摺ベルトの実施の形態を、図６〜図９に基づいて説明する。尚、本実施の形態は、本発明の第２の手摺ベルト及びエスカレーターの一例である。【００３５】
本実施の形態のエスカレーター１は、（１）上階床２Ａ及び下階床２Ｂに装架される主フレーム３と、（２）無端状に連結され、往路から復路にかけて反転して移動する多数の踏段４と、（３）踏段４と同期して往路から復路にかけて反転して移動する本実施の形態の手摺ベルト５と、を有する。【００３６】
本実施の形態の手摺ベルト５は、表面平坦部５Ａ及び表面平坦部５Ａの両縁に連なる両縁部５Ｂを有し、その断面形状は、略Ｃ字形状である。尚、手摺ベルト５の断面形状には特に限定はない。【００３７】
手摺ベルト５には、印刷シート６が接着固定（図示省略）されている。手摺ベルト５は、チェーン８を介して駆動歯車７の動力を駆動ローラ９等に伝達することによって摩擦駆動される。手摺ベルト５は、復路を案内ローラ１０により、往路を欄干１１によりそれぞれ案内され、反転部１１Ａ及び１１Ｂ（範囲Ｈ）で折り返して移動する。反転部１１Ａ及び１１Ｂは、エスカレーター１において、手摺ベルト５の移動方向が往路から復路又は復路から往路へ変化する箇所である。反転部１１Ａ及び１１Ｂの大きさ及び形状には特に限定はない。図６では、反転部１１Ａ及び１１Ｂは略半円形状である。【００３８】
印刷シート６は、通常、全体が長尺状である。印刷シート６は、手摺ベルト５の長手方向に沿い、その表面平坦部５Ａ（幅Ｗ１）から両縁部５Ｂにかけて接着固定されている。図８に示す印刷シート６は、手摺ベルト５の外周面のほぼ全域を覆っている。【００３９】
印刷シート６は、手摺ベルト５の表面平坦部５Ａ及び両縁部５Ｂを覆っていればよい。例えば、印刷シート６は、両縁部５Ｂの一部及び表面平坦部５Ａを覆っていてもよい。また、印刷シート６は、両縁部５Ｂの一方及び表面平坦部５Ａを覆っていてもよい。更に、図８に示す印刷シート６は、手摺ベルト５の長さ方向の全長に貼り付けられている。しかし、本発明において、印刷シート６は、必ずしも手摺ベルト５の長さ方向の全長に貼り付けられている必要はない。【００４０】
図９に示すように、印刷シート６の表面には、広告表示体７Ａ及び方向表示体６Ｂが印刷により設けられている。印刷シート６の具体的構成には特に限定はない。印刷シート６は、通常、接着層及びシート層を有する。上記接着層は手摺ベルト５と接着する層である。上記シート層は通常、各種の印刷が施されている層である。上記シート層は通常、上記接着層の表面に積層されている。しかし、印刷シート６は、上記シート層と上記接着層との間に、他の層を有していてもよい。また、印刷シート６の表面（例えば、上記シート層の表面）には、更にラミネート層を有していてもよい。例えば、印刷シート６は、上記接着層及び上記シート層に加え、表面のラミネート層等で形成されている構成とすることができる。【００４１】
図９に示す手摺ベルト５では、広告表示体７Ａは表面平坦部５Ａに設けられており、方向表示体６Ｂは、広告表示体７Ａとは別に、両縁部５Ｂに設けられている。【００４２】
図９において、広告表示体７Ａは、目立ち易いように、表面平坦部５Ａの幅Ｗ１の範囲内に設けられている。広告表示体７Ａで表示される内容には特に限定はない。この内容としては、例えば、各種の注意文字（例えば、「歩行禁止」等）及び各種広告が挙げられる。広告表示体７Ａの幅（Ｗ３）は、広告表示体７Ａが表面平坦部５Ａの範囲に設けられている限り、特に限定はない。例えば、広告表示体７Ａの幅は、表面平坦部５Ａの幅より狭くてもよく、表面平坦部５Ａの幅と同一（又は略同一）でもよく、表面平坦部５Ａの幅より広くてもよい。例えば、広告表示体７Ａの最大幅は、表面平坦部５Ａより広くてもよい。かかる構成を有することにより、広告表示体７Ａの少なくとも一部を、両縁部５Ｂに位置させることができる。【００４３】
広告表示体７Ａの間隔には特に限定はない。例えば、広告表示体７Ａの間隔（図９のＰａ）は、該広告表示体７Ａが反転部１１Ａ及び１１Ｂ（範囲Ｈ）内に少なくとも１個存在する距離とすることができる。より具体的には、例えば、広告表示体７Ａの間隔（図９のＰａ）は、範囲Ｈと同じ距離、好ましくはＨ／４〜３Ｈ／４、更に好ましくは、Ｈ／３〜２Ｈ／３とすることができる。広告表示体７Ａの間隔は、例えば、５０〜１５０ｃｍ、好ましくは７０〜１３０ｃｍ、更に好ましくは８０〜１００ｃｍとすることができる。広告表示体７Ａの間隔は、全て同じでもよく、一部が異なっていてもよい。【００４４】
図９において、方向表示体６Ｂは、両縁部５Ｂの範囲内に設けられている。方向表示体６Ｂの幅は、方向表示体６Ｂが両縁部５Ｂの範囲内に設けられている限り、特に限定はない。例えば、方向表示体６Ｂの幅は、両縁部５Ｂの幅より狭くてもよく、両縁部５Ｂの幅と同一（又は略同一）でもよい。【００４５】
方向表示体６Ｂは、両縁部５Ｂの片方にのみ設けてもよく、両方に設けてもよい。方向表示体６Ｂは、図９に示すように、両縁部５Ｂの中央部に設けることができる。また、方向表示体６Ｂは、両縁部５Ｂの中央部よりも上記表面平坦部寄りの箇所に設けることができる。両縁部５Ｂの中央部とは、手摺ベルト５の両縁部５Ｂの上端（表面平坦部５Ａと接する部分）と、下端との間の中央の部分を意味する。【００４６】
方向表示体６Ｂの間隔は特に限定はない。例えば、方向表示体６Ｂの間隔（図９のＰｂ）は、該方向表示体６Ｂが反転部１１Ａ及び１１Ｂ（範囲Ｈ）内に少なくとも１個存在する距離とすることができる。より具体的には、例えば、方向表示体６Ｂの間隔（図９のＰｂ）は、範囲Ｈと同じ距離、好ましくはＨ／４〜３Ｈ／４、更に好ましくは、Ｈ／３〜２Ｈ／３とすることができる。方向表示体６Ｂの間隔は、例えば、５０〜１５０ｃｍ、好ましくは７０〜１３０ｃｍ、更に好ましくは８０〜１００ｃｍとすることができる。方向表示体６Ｂの間隔は、全て同じでもよく、一部が異なっていてもよい。【００４７】
方向表示体６Ｂの図柄及び大きさには特に限定はない。方向表示体６Ｂの図柄は、例えば、図９に示すひし形の他、矢印（大きめの矢印等）、丸印、三角印、及び小判印でもよい。更に、各方向表示体６Ｂの図柄及び大きさは、同じでもよく、異なっていてもよい。【００４８】
広告表示体７Ａ及び方向表示体６Ｂの位置関係には特に限定はない。例えば、方向表示体６Ｂは、図９に示すように、広告表示体７Ａ間の両縁部５Ｂに配置することができる。また、方向表示体６Ｂは、広告表示体７Ａが設けられた箇所の両縁部５Ｂに配置することができる。【００４９】
広告表示体７Ａ及び方向表示体６Ｂの色は、印刷シート６の地色とは異なる色である。よって、エスカレーターの利用者は、広告表示体７Ａ及び方向表示体６Ｂの動きを、より確実に認識することができる。印刷シート６の地色並びに広告表示体７Ａ及び方向表示体６Ｂの色には特に限定はない。印刷シート６の地色並びに広告表示体７Ａ及び方向表示体６Ｂの色としては、例えば、赤、青、黄、白、橙、茶、緑、及び黒が挙げられる。【００５０】
印刷シート６の地色並びに広告表示体７Ａ及び方向表示体６Ｂの色の組み合わせには特に限定はない。印刷シート６の地色と、広告表示体７Ａ及び方向表示体６Ｂの色との色差及び明度差が大きいと、広告表示体７Ａ及び方向表示体６Ｂを、より確実に認識することができるので好ましい。上記明度差は、例えば１００以上、好ましくは１２５以上、更に好ましくは１５０以上とすることができる。また、上記色差は、例えば４００以上、好ましくは４５０以上、更に好ましくは５００以上とすることができる。印刷シート６の地色の明度は、広告表示体７Ａ及び方向表示体６Ｂの色の明度より大きくてもよく、小さくてもよい。印刷シート６の地色並びに広告表示体７Ａ及び方向表示体６Ｂの色の組み合わせとしては、例えば、青と黄、赤と白、橙と青、黒と黄、茶と白、及び緑と白が挙げられる。尚、広告表示体７Ａ及び方向表示体６Ｂの色は同じでもよく、異なっていてもよい。【００５１】
広告表示体７Ａ及び方向表示体６Ｂは、それぞれ複数個存在する。また、広告表示体７Ａ及び方向表示体６Ｂは、反転部１１Ａ及び１１Ｂ（範囲Ｈ）内に少なくとも１個存在する。手摺ベルト５において、広告表示体７Ａ及び方向表示体６Ｂの両方が、反転部１１Ａ及び１１Ｂ内に少なくとも各１個存在していてもよい。例えば、広告表示体７Ａの間隔（図９のＰａ）を反転部１１Ａ及び１１Ｂの範囲Ｈと同じ距離とし、広告表示体７Ａ間の両縁部５Ｂに方向表示体６Ｂを設ければ、広告表示体７Ａ及び方向表示体６Ｂの両方が、反転部１１Ａ及び１１Ｂ内に少なくとも１個存在する。また、広告表示体７Ａ及び方向表示体６Ｂのいずれか一方のみが、反転部１１Ａ及び１１Ｂ内に少なくとも１個存在していてもよい。例えば、広告表示体７Ａ及び方向表示体６Ｂの間隔を、反転部１１Ａ及び１１Ｂの範囲Ｈと同じ距離とすれば、広告表示体７Ａ及び方向表示体６Ｂのいずれか一方のみが、反転部１１Ａ及び１１Ｂ内に少なくとも１個存在する。【００５２】
本実施の形態の手摺ベルト５には、広告表示体７Ａ及び方向表示体６Ｂが、反転部１１Ａ及び１１Ｂに少なくとも１個存在する。よって、利用者（乗客）がエスカレーター１を見た時、利用者は、広告表示体７Ａ及び方向表示体６Ｂの動きにより、踏段４の移動速度及び移動方向を確実に認識することができる。また、両縁部５Ｂの方向表示体６Ｂにより、利用者は、エスカレーター１の側方からでも踏段４の移動速度及び移動方向を確実に認識することができる。その結果、エスカレーターの乗り場での転倒事故及びエスカレーターへの逆乗り込みを防止することができる。【００５３】
（３）その他
尚、前記各実施の形態は、一般のエスカレーターを一例として説明している。しかし、本発明は、この実施の形態に限られない。本発明の実施の形態は、目的及び用途等に応じて、本発明の範囲内で種々変更することができる。例えば、本発明は、隣接する踏段同士に段差を有しないエスカレーター（「動く歩道」と通称される。）にもそのまま適用することができる。即ち、本発明のエスカレーターは、移動する踏段が傾斜路又は水平路を形成することにより、乗客を輸送することができる限り、その具体的な構成には限定はない。よって、本発明の「エスカレーター」には、隣接する踏段同士が段差を有しないエスカレーターも含まれる。
【図１】
2007139186.tif 000003
【図２】
2007139186.tif 000004
【図３】
2007139186.tif 000005
【図４】
2007139186.tif 000006
【図５】
2007139186.tif 000007
【図６】
2007139186.tif 000008
【図７】
2007139186.tif 000009
【図８】
2007139186.tif 000010
【図９】
2007139186.tif 000011
【手続補正書】
【提出日】平成20年3月28日(2008.3.28)
【手続補正１】
【補正対象書類名】特許請求の範囲
【補正対象項目名】全文
【補正方法】変更
【補正の内容】
【特許請求の範囲】
【請求項１】
表面平坦部及び該表面平坦部の両縁に連なる両縁部を有し、エスカレーターの踏段と同期すると共に、反転部で往路から復路へ反転して移動する手摺ベルトであって、
上記手摺ベルトは、その表面に印刷シートを有し、断面形状が略Ｃ字形であり、
上記印刷シートは、上記手摺ベルトの移動方向を表示する方向表示体を有し、
上記方向指示体は、上記印刷シートの地色と異なる色であり、該印刷シートの地色及び該方向表示体の色の組み合わせが、青と黄、赤と白、橙と青、黒と黄、茶と白、又は緑と白のいずれかであり、該印刷シートの地色と該方向表示体の色との明度差が１００以上であり、該印刷シートの地色と該方向表示体の色との色差が４００以上であり、且つ上記手摺ベルトの上記表面平坦部及び上記両縁部に別々に設けられており、
上記方向表示体は、上記反転部に上記方向表示体の少なくとも１個が存在する間隔で設けられている手摺ベルト。
【請求項２】
上記表面平坦部の上記方向表示体の少なくとも一部が、上記両縁部に位置する請求項１記載の手摺ベルト。
【請求項３】
上記両縁部の上記方向表示体は、上記両縁部の中央部よりも上記表面平坦部寄りの箇所に設けられている請求項１記載の手摺ベルト。
【請求項４】
上記表面平坦部の上記方向表示体の少なくとも１個が、上記反転部に存在する請求項１記載の手摺ベルト。
【請求項５】
上記印刷シートは、上記表面平坦部の上記方向表示体の間に、更に広告表示体を有する請求項１記載の手摺ベルト。
【請求項６】
上記両縁部の上記方向表示体は、上記広告表示体が設けられた箇所の両縁部に設けられている請求項５記載の手摺ベルト。
【請求項７】
表面平坦部及び該表面平坦部の両縁に連なる両縁部を有し、エスカレーターの踏段と同期すると共に、反転部で往路から復路へ反転して移動する手摺ベルトであって、
上記手摺ベルトは、その表面に印刷シートを有し、断面形状が略Ｃ字形であり、
上記印刷シートは、広告表示体及び上記手摺ベルトの移動方向を表示する方向表示体を有し、
上記広告表示体は、上記手摺ベルトの上記表面平坦部に設けられており、
上記方向指示体は、上記印刷シートの地色と異なる色であり、該印刷シートの地色及び該方向表示体の色の組み合わせが、青と黄、赤と白、橙と青、黒と黄、茶と白、又は緑と白のいずれかであり、該印刷シートの地色と該方向表示体の色との明度差が１００以上であり、該印刷シートの地色と該方向表示体の色との色差が４００以上であり、且つ上記手摺ベルトの上記両縁部に設けられており、
上記方向表示体は、上記反転部に上記方向表示体の少なくとも１個が存在する間隔で設けられている手摺ベルト。
【請求項８】
上記表面平坦部の上記方向表示体の少なくとも一部が、上記両縁部に位置する請求項７記載の手摺ベルト。
【請求項９】
上記両縁部の上記方向表示体は、上記両縁部の中央部よりも上記表面平坦部寄りの箇所に設けられている請求項７記載の手摺ベルト。
【請求項１０】
上記表面平坦部の上記方向表示体の少なくとも１個が、上記反転部に存在する請求項７記載の手摺ベルト。
【請求項１１】
請求項１記載の手摺ベルトを備えるエスカレーター。
【請求項１２】
請求項７記載の手摺ベルトを備えるエスカレーター。
【請求項１３】
上記方向表示体の図柄が、ひし型、矢印、丸印、三角印及び小判印のうちの少なくとも１種である請求項１記載の手摺ベルト。
【請求項１４】
上記表面平坦部の上記方向表示体の図柄と上記両縁部の上記方向表示体の図柄とが異なる請求項１３記載の手摺ベルト。
【請求項１５】
上記方向表示体の図柄が、丸印である請求項１記載の手摺ベルト。
【請求項１６】
上記表面平坦部の上記方向表示体の間隔が５０〜１５０ｃｍである請求項１記載の手摺ベルト。
【請求項１７】
上記表面平坦部の上記方向表示体の少なくとも一部が、上記両縁部に位置し、
上記両縁部の上記方向表示体は、上記両縁部の中央部よりも上記表面平坦部寄りの箇所に設けられ、
上記表面平坦部の上記方向表示体の少なくとも１個が、上記反転部に存在し、
上記印刷シートは、上記表面平坦部の上記方向表示体の間に、更に広告表示体を有し、
上記両縁部の上記方向表示体は、上記広告表示体が設けられた箇所の両縁部に設けられ、
上記方向表示体の図柄が、丸印であり、
上記表面平坦部の上記方向表示体の間隔が５０〜１５０ｃｍである請求項１記載の手摺ベルト。
【請求項１８】
上記表面平坦部の上記方向表示体の少なくとも一部が、上記両縁部に位置し、
上記両縁部の上記方向表示体は、上記両縁部の中央部よりも上記表面平坦部寄りの箇所に設けられ、
上記表面平坦部の上記方向表示体の少なくとも１個が、上記反転部に存在し、
上記印刷シートは、上記表面平坦部の上記方向表示体の間に、更に広告表示体を有し、
上記両縁部の上記方向表示体は、上記広告表示体が設けられた箇所の両縁部に設けられ、
上記方向表示体の図柄が、ひし型、矢印、丸印、三角印及び小判印のうちの少なくとも１種であり、
上記表面平坦部の上記方向表示体の図柄と上記両縁部の上記方向表示体の図柄とが異なり、
上記表面平坦部の上記方向表示体の間隔が５０〜１５０ｃｍである請求項１記載の手摺ベルト。
【請求項１９】
上記方向表示体の図柄が、ひし型、矢印、丸印、三角印及び小判印のうちの少なくとも１種である請求項７記載の手摺ベルト。
【請求項２０】
上記方向表示体の図柄が、丸印である請求項７記載の手摺ベルト。
【請求項２１】
上記両縁部の上記方向表示体の間隔が５０〜１５０ｃｍである請求項７記載の手摺ベルト。
【請求項２２】
上記表面平坦部の上記方向表示体の少なくとも一部が、上記両縁部に位置し、
上記両縁部の上記方向表示体は、上記両縁部の中央部よりも上記表面平坦部寄りの箇所に設けられ、
上記表面平坦部の上記方向表示体の少なくとも１個が、上記反転部に存在し、
上記方向表示体の図柄が、ひし型、矢印、丸印、三角印及び小判印のうちの少なくとも１種であり、
上記両縁部の上記方向表示体の間隔が５０〜１５０ｃｍである請求項７記載の手摺ベルト。
【請求項２３】
上記表面平坦部の上記方向表示体の少なくとも一部が、上記両縁部に位置し、
上記両縁部の上記方向表示体は、上記両縁部の中央部よりも上記表面平坦部寄りの箇所に設けられ、
上記表面平坦部の上記方向表示体の少なくとも１個が、上記反転部に存在し、
上記方向表示体の図柄が、丸印であり、
上記両縁部の上記方向表示体の間隔が５０〜１５０ｃｍである請求項７記載の手摺ベルト。
【請求項２４】
請求項１７記載の手摺ベルトを備えるエスカレーター。
【請求項２５】
請求項１８記載の手摺ベルトを備えるエスカレーター。
【請求項２６】
請求項２２記載の手摺ベルトを備えるエスカレーター。
【請求項２７】
請求項２３記載の手摺ベルトを備えるエスカレーター。
【国際調査報告】
2007139186.tif 000012
2007139186.tif 000013
2007139186.tif 000014
2007139186.tif 000015